(57)【特許請求の範囲】
【請求項１】
液体を収容する容器と、前記容器の温度を測定する温度検知手段と、前記容器に収容された液体の加熱または保温に用いる加熱ヒータまたは保温ヒータと、前記液体を前記容器外へ吐出させるためのモータに電圧を供給する直流電源と、前記加熱ヒータと前記保温ヒータのいずれか一方または両方を介して商用電源を整流する整流手段と、前記加熱ヒータまたは前記保温ヒータの通電を制御する制御回路とを備え、前記直流電源は、前記制御回路の共通電位に一端を接続した平滑コンデンサと前記平滑コンデンサへの充電を停止させるオペアンプとを有し、前記整流手段により整流された電流を前記オペアンプの出力によって、前記平滑コンデンサに流すか前記平滑コンデンサに流さずに商用電源に帰すかを切り換え、前記平滑コンデンサの電圧が所定の電圧ＶＨに達するまで前記平滑コンデンサを充電し、前記平滑コンデンサの電圧が前記所定の電圧ＶＨに達した場合は前記平滑コンデンサの充電を停止し、前記平滑コンデンサの電圧が前記所定の電圧ＶＨより低い所定の電圧ＶＬになった場合はふたたび前記充電を開始することにより、前記平滑コンデンサの両端に直流電圧を発生させ、この直流電圧から前記制御回路の制御電源を得るとともに、前記平滑コンデンサの充電電圧が前記オペアンプの動作保証電圧以上の所定値となるまで前記平滑コンデンサに強制的に充電するようにした電気湯沸かし器。
【発明の詳細な説明】
【０００１】
【産業上の利用分野】
本発明は、一般家庭において使用される電気湯沸かし器に関する。
【０００２】
【従来の技術】
近年、電気湯沸かし器が広く一般家庭に普及し、その使用方法も様々である。従来の電気湯沸かし器においては、電気湯沸かし器から保温した湯を出湯させる方法として、エアーポンプにより電気湯沸かし器の水を収容している容器内の圧力を上げる方法があるが、最近では電動式のポンプにより湯を汲み出す方式のものも一般的である。この電動式の出湯方法を採る電気湯沸かし器においては、一般に、保温温度などを制御する電子制御回路の電源の他に、電動モータ用の電源を別途設けた構成が一般的である。
【０００３】
図５は、従来の一般的な電気湯沸かし器の構成を示すブロック図である。図５において、２１は液体を収容する容器、２２は容器２１の温度を測定する温度検知手段、２３は容器２１に収容された液体を加熱する加熱手段であり、加熱ヒータ２３ａとリレー２３ｂ、リレー電源２３ｃなどで構成されている。２４は容器２１に収容された液体を任意の温度に保温する保温手段であり、保温ヒータ２４ａとトライアック２４ｂ、ゲート抵抗Ｒ３０などで構成されている。２５は容器２１内の液体を容器２１外へ吐出させる出湯手段であり、ポンプ２５ａ、モータなど２５ｂ、出湯スイッチ２５ｃ、モータ電源回路２５ｄ、フォトカプラ２５ｅなどで構成されている。
【０００４】
また、制御回路２６は、温度検知手段２２の入力を受けて容器２１内の液体が沸騰したことを検知すると、制御回路２６のリレー出力をＨＩＧＨからＬＯＷにしてリレー２３ｂをオフとし、加熱ヒータ２３ａへの通電を停止している。その後、制御回路２６の保温出力をＬＯＷにすることにより保温手段２４のトライアック２４ｂをオンとし、また、保温出力をＨＩＧＨにしてオフとすることを繰り返して、容器２１内の液体を所定の温度に保っている。
【０００５】
この制御回路２６を動作させる直流電源２７は、トランスＴ、ダイオードＤ２７，Ｄ２８、電解コンデンサＣ２２、ツェナーダイオードＺＤ２２、トランジスタＴｒ２３、抵抗Ｒ３１で構成されている。
【０００６】
上記構成において、使用者が容器２１内の液体を吐出させようとした場合には、制御回路２６の解除出力をＬＯＷにしてフォトカプラ２５ｅの動作を停止させてトランジスタＴｒ２１をオフとした後に、スイッチ２５ｃの接点をＮＣ側からＮＯ側に切り換えることによりモータ電源回路２５ｄに通電が開始され、モータ２５ｂが回転し、ポンプ２５ａによって容器２１内の液体が容器２１の外へ吐出される。
【０００７】
このモータ電源回路２５ｄは、オペアンプＩＣ２１の働きにより平滑コンデンサＣ２１への充電をオン／オフし、保温ヒータ２４ａに流れる電流を直流に平滑しながらモータ２５ｂに通電をしている。
【０００８】
【発明が解決しようとする課題】
このような従来の電気湯沸かし器では、出湯スイッチ２５ｃと、加熱ヒータ２３ａを通電制御するリレー２３ｂを駆動させるリレー電源２３ｃと、制御回路２６用の直流電源２７との３個の電源回路を備えた複雑な構成であるため回路コストが高額になり、またモータ２５ｂのオンオフを出湯スイッチ２５ｃの交流入力のオンオフにより操作するので、そのための出湯スイッチ２５ｃは商用電源電圧の印加に耐えるものを必要とし、大型なものになってしまうという問題点があった。
【０００９】
本発明は上記課題を解決するもので、簡単な構成で、かつ安定に動作する電源回路を備え、また、モータ用の操作スイッチも小型のものが使用できる電気湯沸かし器を提供することを目的とする。
【００１０】
【課題を解決するための手段】
請求項１に係わる本発明は、液体を収容する容器と、前記容器の温度を測定する温度検知手段と、前記容器に収容された液体の加熱または保温に用いる加熱ヒータまたは保温ヒータと、前記液体を前記容器外へ吐出させるためのモータに電圧を供給する直流電源と、前記加熱ヒータと前記保温ヒータのいずれか一方または両方を介して商用電源を整流する整流手段と、前記加熱ヒータまたは前記保温ヒータの通電を制御する制御回路とを備え、前記直流電源は、前記制御回路の共通電位に一端を接続した平滑コンデンサと前記平滑コンデンサへの充電を停止させるオペアンプとを有し、前記整流手段により整流された電流を前記オペアンプの出力によって、前記平滑コンデンサに流すか前記平滑コンデンサに流さずに商用電源に帰すかを切り換え、前記平滑コンデンサの電圧が所定の電圧ＶＨに達するまで前記平滑コンデンサを充電し、前記平滑コンデンサの電圧が前記所定の電圧ＶＨに達した場合は前記平滑コンデンサの充電を停止し、前記平滑コンデンサの電圧が前記所定の電圧ＶＨより低い所定の電圧ＶＬになった場合はふたたび前記充電を開始することにより、前記平滑コンデンサの両端に直流電圧を発生させ、この直流電圧から前記制御回路の制御電源を得るとともに、前記平滑コンデンサの充電電圧が前記オペアンプの動作保証電圧以上の所定値となるまで前記平滑コンデンサに強制的に充電するようにした電気湯沸かし器としたものである。
【００１１】
【作用】
請求項１に係わる本発明において、液体を収容する容器と、前記容器の温度を測定する温度検知手段と、前記容器に収容された液体の加熱または保温に用いる加熱ヒータまたは保温ヒータと、前記液体を前記容器外へ吐出させるためのモータに電圧を供給する直流電源と、前記加熱ヒータと前記保温ヒータのいずれか一方または両方を介して商用電源を整流する整流手段と、前記加熱ヒータまたは前記保温ヒータの通電を制御する制御回路とを備え、前記直流電源は、前記制御回路の共通電位に一端を接続した平滑コンデンサと前記平滑コンデンサへの充電を停止させるオペアンプとを有し、前記整流手段により整流された電流を前記オペアンプの出力によって、前記平滑コンデンサに流すか前記平滑コンデンサに流さずに商用電源に帰すかを切り換え、前記平滑コンデンサの電圧が所定の電圧ＶＨに達するまで前記平滑コンデンサを充電し、前記平滑コンデンサの電圧が前記所定の電圧ＶＨに達した場合は前記平滑コンデンサの充電を停止し、前記平滑コンデンサの電圧が前記所定の電圧ＶＨより低い所定の電圧ＶＬになった場合はふたたび前記充電を開始することにより、前記平滑コンデンサの両端に直流電圧を発生させ、この直流電圧から前記制御回路の制御電源を得るとともに、前記平滑コンデンサの充電電圧が前記オペアンプの動作保証電圧以上の所定値となるまで前記平滑コンデンサに強制的に充電するようにしたことにより、容器内の液体を容器外に出湯させるモータのための直流電源を簡単な構成で実現できるとともに、保温手段のヒータにより、容器内に収容された液体を保温する動作と直流電源の平滑コンデンサへの充電動作とを兼用させた簡単な構成で安価な電源回路構成とすることができ、さらに、電源投入時に平滑コンデンサの充電を停止させるオペアンプの動作保証電圧を確保することができるものである。
【００１２】
【実施例】
以下、本発明の電気湯沸かし器の一実施例について図面を参照しながら説明する。
【００１３】
図１は本実施例の構成を示すブロック図である。図１において、１は液体を収容する容器、２は容器１の温度を測定する温度検知手段、３は容器１に収容された液体を加熱する加熱手段であり、加熱ヒータ３ａとリレー３ｂなどで構成されている。４は容器１に収容された液体を任意の温度に保温する保温手段であり、保温ヒータ４ａで構成されている。５は容器１内の液体を容器１外へ吐出させる出湯手段であり、ポンプ５ａ、モータ５ｂ、出湯スイッチ５ｃ、およびトランジスタＴｒ６などで構成されている。６は直流電源であり、整流ダイオードＤ１〜Ｄ４、サイリスタＳＣＲ、ゲート抵抗Ｒ３、オペアンプＩＣ、および平滑コンデンサＣなどにより構成されている。７は第２の直流電源であり、トランジスタＴｒ４、ツェナーダイオードＺＤ４、および抵抗Ｒ９で構成されている。
【００１４】
８は制御回路であり、第２の直流電源７を電源として動作し、温度検知手段２の入力を受けて、加熱手段３のリレー３ｂを制御している。このとき、制御回路８のリレー出力をＨＩＧＨとすることによりトランジスタＴｒ５をオンとし、リレー３ｂのコイルに電流が流れてリレー３ｂがオンとなり、ヒータ３ａに電流が流れ容器１を加熱している。リレー３ｂをオフとしたときはその逆で、制御回路８のリレー出力をＬＯＷとするとトランジスタＴｒ５がオフとなり、リレー３ｂもオフとなる。
【００１５】
また、出湯手段５のモータ５ｂを駆動するには、まず、制御回路８の解除出力をＨＩＧＨとしてトランジスタＴｒ６をオンとした後に出湯スイッチ５ｃを使用者が閉じることによりモータ５ｂに直流電源６の電圧Ｖｕが供給され、モータ５ｂが回転してポンプ５ａを駆動して容器１内の液体を容器１外に吐出している。
【００１６】
上記構成においてその動作を説明する。まず、直流電源６の動作について説明する。図２は本実施例における直流電源６の動作を示すタイミングチャートである。図２において、平滑コンデンサＣの電圧Ｖｕは、まず、Ａ１時点で所定電圧ＶＬを下回ると、電圧Ｖｕを抵抗Ｒ７と抵抗Ｒ８で分割したオペアンプＩＣへの正の入力（＋）は、一定電圧が入力されている負の基準電圧入力（−）を下回り、オペアンプＩＣの出力はＬＯＷとなる。オペアンプＩＣの出力がＬＯＷとなるとトランジスタＴｒ２へのベース電流の供給が停止し、トランジスタＴｒ２はオフとなる。トランジスタＴｒ２がオンのときには、サイリスタＳＣＲのゲートをグランドに接続してゲート抵抗Ｒ３からサイリスタＳＣＲへのゲート電流を遮断していたので、トランジスタＴｒ２がオフとなることにより、サイリスタＳＣＲにゲート電流が供給され、サイリスタＳＣＲは図２におけるＡ１時点でオンとなり、ダイオードＤ５を介して平滑コンデンサＣに充電が開始される。
【００１７】
つぎに、Ａ２時点で電圧Ｖｕが、所定電圧ＶＨを上回ると、電圧Ｖｕを抵抗Ｒ７と抵抗Ｒ８で分割して得たオペアンプＩＣへの正の入力（＋）は、一定電圧が入力されている負の基準電圧入力（−）を上回り、オペアンプＩＣ出力はＨＩＧＨとなる。このとき、オペアンプＩＣの出力に接続された抵抗Ｒ６の働きで、電圧Ｖｕを分割しているオペアンプＩＣへの正の入力（＋）は、ヒステリシスを持った動作をするため、所定電圧ＶＬと所定電圧ＶＨに電圧差が生じており、このため平滑コンデンサＣの電圧、すなわち直流電源６の出力電圧Ｖｕは電圧ＶＬから電圧ＶＨのリップルを持った直流電圧が得られる。
【００１８】
また、サイリスタＳＣＲは、一旦オンとなると保持電流が流れ続けている間はオフとならないので、つぎにダイオードＤ１〜Ｄ４による全波整流出力の電圧がゼロボルトとなるＡ３時点で保持電流がなくなるまでは、保温ヒータ４ａを介した電流が流れ続ける。このとき、そのままでは平滑コンデンサＣへの充電が継続してしまうので、図２に示したように、オペアンプＩＣの出力により、トランジスタＴｒ３をオンとしてＡ２時点からＡ３時点までは、平滑コンデンサＣへの充電を停止している。またこのとき、ダイオードＤ５があるため、トランジスタＴｒ３がオンとなっても、平滑コンデンサＣに充電された電荷は、トランジスタＴｒ３方向へと流れ出さず、電圧Ｖｕは、直流電源６の出力で消費される電流分のみ低下していく。
【００１９】
このときの直流電源６の平均の電圧値は、モータ５ｂを動作させるのに必要な１０Ｖ程度とし、電圧ＶＨと電圧ＶＬの差であるリップル電圧はモータ５ｂに負担の掛からない１．５Ｖ程度とするのがよい。
【００２０】
つぎに、電源投入時における直流電源６の動作について説明する。
【００２１】
図１の構成において、ツェナーダイオードＺＤ２のツェナー電圧を所定電圧ＶＯＰと設定している。商用電源を投入したとき電圧Ｖｕはゼロ、トランジスタＴｒ２はオフであるため、まず、ゲート抵抗Ｒ３に全波整流電圧が印加され、サイリスタＳＣＲがオンとなり、平滑コンデンサＣに充電を開始し、電圧が上昇していく。このときの、オペアンプＩＣの出力電圧も上昇していくが、前記電圧ＶＯＰを越えるまでは、オペアンプＩＣの出力がＬＯＷ、ＨＩＧＨにかかわらず、トランジスタＴｒ２とトランジスタＴｒ３にはベース電流が供給されずにオフ状態である。
【００２２】
したがって、直流電源６の出力電圧Ｖｕ、すなわち平滑コンデンサＣへの充電電圧がＶＯＰとなるまでは、オペアンプＩＣの制御動作に関係なく、平滑コンデンサＣは強制的に充電される。
【００２３】
このときの、所定電圧ＶＯＰの電圧、すなわちツェナーダイオードＺＤ２の電圧は、一般的なオペアンプの動作保証電圧の３Ｖ以上で、かつ本発明の回路構成によるオペアンプＩＣの負の基準電圧（−）の５Ｖ未満に設定するのが妥当である。
【００２４】
つぎに、保温時における直流電源６の動作について図面を参照しながら説明する。図３は保温時の動作を示すタイミングチャートである。図において、Ｂ１時点で温度検知手段２の入力により測定した結果から容器１内の液体の温度がそのとき設定されている保温温度以下になったと判断した場合、制御回路８は保温出力をＬＯＷとするように制御している。この動作により、図１に示したトランジスタＴｒ２は、ベースとエミッタが同電位となりオフとなるので、抵抗Ｒ３によりサイリスタＳＣＲのゲートにゲート電流が供給されてサイリスタＳＣＲはオン状態を続ける。ところが、平滑コンデンサＣの電圧Ｖｕは電圧ＶＬ以上であるのでオペアンプＩＣの出力はＨＩＧＨのままでトランジスタＴｒ３はオン状態のままであり、平滑コンデンサＣへの充電は開始されない。このため保温ヒータ４ａを介して直流電源６に供給されている電流は、平滑コンデンサＣへは流れずに、そのままダイオードＤ１〜Ｄ４の全波整流回路とサイリスタＳＣＲとトランジスタＴｒ３を通じて商用電源に帰ることになり、保温ヒータ４ａは商用電源を印加した場合の定格の電流が流れて発熱し、容器１を加熱して容器１内の液体が所定の保温温度になるまで温度上昇する。
【００２５】
この間にＢ２時点において平滑コンデンサＣの電圧が電圧ＶＬを下回ると、オペアンプＩＣの出力がＬＯＷとなるのでトランジスタＴｒ３はオフとなり、サイリスタＳＣＲからトランジスタＴｒ３を通って商用電源に帰っていた電流は、平滑コンデンサＣの充電に当てられる。そして電圧ＶＨまで充電が完了するとふたたびオペアンプＩＣの出力がＨＩＧＨとなるのでトランジスタＴｒ３がオンとなり、平滑コンデンサＣへの充電動作から、トランジスタＴｒ３を通って商用電源に帰る動作に電流路が切り換えられる。
【００２６】
そして、図３におけるＢ４時点で、温度検知手段２の入力により測定した結果から容器１内の液体の温度がそのとき設定されている保温温度以上になったと判断したとき、制御回路８は保温出力をＨＩＧＨとする。この動作により、図１にも示したトランジスタＴｒ２はオンとなるのでつぎのゼロボルト点であるＢ５時点において保持電流がなくなったサイリスタＳＣＲはオフとなり、保温ヒータ４ａへの通電が停止して容器１内の液体の加熱が終了する。
【００２７】
以下、電源回路から発生するノイズを抑制する動作について説明する。図４はノイズ抑制動作を示すタイミングチャートである。
【００２８】
図１において、サイリスタＳＣＲがオフ状態の場合にダイオードＤ１〜Ｄ４の全波整流回路の出力電圧が、ツェナーダイオードＺＤ１のツェナー電圧を越えると抵抗Ｒ１を介してツェナー電流が流れ始め、さらに電圧が上昇して所定電圧ＶＯＮに達するとツェナー電流が増加し、その電流によりトランジスタＴｒ１がオンとなる。すると、サイリスタＳＣＲのゲートがグランドに接続されるためサイリスタＳＣＲにゲート電流が流れなくなり、サイリスタＳＣＲはオンとなれなくなるものである。すなわち、サイリスタＳＣＲをオフ状態からオン状態にできるのは、ダイオードＤ１〜Ｄ４による全波整流回路の出力が電圧ＶＯＮ以下の範囲だけとなる。
【００２９】
図４において、通常は、Ｃ１時点のように、平滑コンデンサＣの電圧Ｖｕが所定ＶＬまで低下した時点で、サイリスタＳＣＲをオン、トランジスタＴｒ３をオフとして平滑コンデンサＣに充電を開始し、Ｃ２時点で充電が完了すると、Ｔｒ３を再びオンとして充電を停止し、サイリスタＳＣＲもＴｒ２をオンとすることによりＣ２時点でゲート電流を流さなくしているので保持電流がなくなるＣ３時点でオフにしている。つぎに、Ｃ４時点で、平滑コンデンサＣの電圧Ｖｕが電圧ＶＬまで低下した場合には、全波整流回路の出力がＶＯＮ以上であり、トランジスタＴｒ１がオン状態であるためゲート電流が流れず、サイリスタＳＣＲはオンになれない。つぎに、Ｃ５時点で全波整流回路の出力がＶＯＮ以下となってトランジスタＴｒ１がオフになると初めてサイリスタＳＣＲがオンとなる。
【００３０】
すなわち、トランジスタＴｒ１とトランジスタＴｒ２が同時にオフする期間でのみサイリスタＳＣＲのオンの開始が可能であり、図４においては、Ｃ１時点からＣ６時点までと、Ｃ５時点からＣ７時点でのみサイリスタＳＣＲのオンの開始が可能になるようにしている。
【００３１】
なお、電圧ＶＯＮは、電圧Ｖｕが１０Ｖ程度であるのでそれよりも高い２０Ｖ程度に設定するのが適当である。
【００３２】
以下、ＳＣＲが故障したときの保護動作について説明する。図１に示したように、平滑コンデンサＣと並列に、直流電源６の正出力と負出力間に、正出力側がカソードとなるようにツェナーダイオードＺＤ３を接続している。このとき、万が一、サイリスタＳＣＲが故障して連続オンとなり、かつトランジスタＴｒ３も動作せずにオフのままであった場合には、直流電源６の電圧Ｖｕが上昇し続け、やがて平滑コンデンサＣの耐圧を越え、平滑コンデンサＣが破裂に至る可能性があるが、ツェナーダイオードＺＤ３があるために、直流電源６の電圧ＶｕがツェナーダイオードＺＤ３のツェナー電圧を越えた時点で、充電電流はツェナーダイオードＺＤ３に流れ、まず、ツェナー電圧で電圧Ｖｕの上昇が止まる。さらに、充電電流が多く流れてツェナーダイオードＺＤ３の定格を越える場合には、ツェナーダイオードは一般的にショートして破壊するため、ツェナーダイオードＺＤ３は直流電源６の正負の出力をショートする。
【００３３】
以下、第２の直流電源７について説明する。図１において、トランジスタＴｒ４と抵抗Ｒ９とツェナーダイオードＺＤ４により、制御回路８の電源に使用する第２の直流電源７を構成している。
【００３４】
この第２の直流電源７は、直流電源６のリップルをツェナーダイオードＺＤ４で吸収しているのでほぼ平坦な電圧が得られ、制御回路８を構成するマイクロコンピュータの電源などに利用する。一般的には、このツェナーダイオードＺＤ４は、５ないし６Ｖ程度のツェナー電圧を持つものとし、トランジスタＴｒ４のベースエミッタ間電圧約０．６Ｖを差し引いた約５Ｖの電圧がこの第２の直流電源７の出力電圧となる。
【００３５】
以下、消費電力について説明する。図２においては、平滑コンデンサＣの充放電の周期は商用電源の１周期分とした場合を示しており、商用電源の半波に一回ごとに、サイリスタＳＣＲがオンとなり、充電終了後もトランジスタＴｒ３の働きによって保温ヒータ４ａには電流が流れ続けることになる。このとき、消費される電力は一般的な電気湯沸かし器の保温ヒータでは、７５Ｗ程度であるので、平均約３７．５Ｗの電力を消費する。
【００３６】
そこで、平滑コンデンサＣは容量が大きなものを選択し、かつ、モータ５ｂに負担がかからない範囲で直流電源６の電圧Ｖｕのリップルを大きくとる、すなわち、ＶＨとＶＬの間隔を広くとることにより充放電の周期を延ばして、平均の消費電力を所定電力Ｗ０以下に抑えることができる。
【００３７】
このとき、所定電力Ｗ０は、容器１内の沸騰した液体が、選択した保温温度、たとえば６０℃まで低下するのに妨げとならず、かつ、容器１内に液体を入れずに放置したときにも容器１の温度が危険な温度まで上昇しない程度として、２Ｗ程度に設定するのが適当である。すなわち、商用電源の半波４０回に１回程度サイリスタＳＣＲがオンとなるように、平滑コンデンサＣの容量と電圧ＶＨと電圧ＶＬの値を設定するのが妥当である。
【００３８】
以上の実施例においては、図１に示したように、ダイオードＤ１〜Ｄ４の全波整流回路を用いたが、半波整流としても問題なく、また、本実施例では、湯沸かしの加熱用のヒータと保温ヒータを分割しているが、これを同一のヒータで行っても問題ないことは言うまでもない。
【００３９】
【発明の効果】
以上のように本発明の電気湯沸かし器によれば、容器内の液体を容器外に出湯させるモータのための直流電源を簡単な構成で実現でき、また、電動モータで出湯させるための出湯スイッチも直流出力オンオフであるため小型のものが使用でき、安価な構成の電気湯沸かし器を提供できる。
【００４０】
また、保温手段のヒータにより、容器内に収容された液体を保温する動作と直流電源の平滑コンデンサへの充電動作とを兼用させた簡単な構成で安価な電源回路を備えた電気湯沸かし器を提供できる。
【図面の簡単な説明】
【図１】  本発明の電気湯沸かし器の一実施例の構成を示すブロック図
【図２】  本発明の一実施例における電源回路の動作を示すタイミングチャート
【図３】  本発明の一実施例における保温動作を示すタイミングチャート
【図４】  本発明の一実施例におけるノイズ抑圧動作を示すタイミングチャート
【図５】  従来例の電気湯沸かし器の構成を示すブロック図
【符号の説明】
１  容器
２  温度検知手段
３ａ  加熱ヒータ
４ａ  保温ヒータ
６  直流電源
７  第２の直流電源
８  制御回路
Ｄ１〜Ｄ４  ダイオード（整流手段）
Ｃ  平滑コンデンサ
【図１】
0003636096.tif 000002
【図２】
0003636096.tif 000003
【図３】
0003636096.tif 000004
【図４】
0003636096.tif 000005
【図５】
0003636096.tif 000006